(57)【特許請求の範囲】
【請求項１】
シャワー便器（３０）又はビデ用のシャワーアーム（３１）であって、
前記シャワー便器（３０）の使用者に向かって洗浄のためにシャワー水が出て行くシャワーノズル（４，ノズル部分１４ｂ，２４）と、
前記シャワーノズル（４，ノズル部分１４ｂ，２４）へ給水する送水管路（７，１７，２７）と、
前記シャワーノズル（４，ノズル部分１４ｂ，２４）へ送るシャワー水に回転水流を生成するために前記送水管路（７，１７，２７）に設けられたスワール室（８，１８，２８）と、
前記スワール室（８，１８，２８）と前記シャワーノズル（４，ノズル部分１４ｂ，２４）との間の送水管路部分（シャワーノズル４の一部，直管路部分１４ａ及びノズル部分１４ｂ，２４ａ）と、を備え、
前記送水管路部分は、最大で、前記スワール室（８，１８，２８）直前の前記送水管路（７，１７，２７）の断面と同程度の大きさである断面を有し、
前記スワール室は球形室（８，１８，２８）であって、その内径が該球形室（８，１８，２８）直前の前記送水管路（７，１７，２７）の部分の内径よりも大きく、当該スワール室は、前記送水管路（７，１７，２７）の流入口、流出口、及びこれら開口の縁の接続部分を除いて球形である、シャワーアーム。
【請求項２】
前記球形室（８，１８，２８）直前の前記送水管路（７，１７，２７）の部分は、シャワー水の主ノズル噴出方向（５，１５，２５）に対して６５°〜１１５°の間の角度を有する、請求項１に記載のシャワーアーム。
【請求項３】
前記球形室（８，１８，２８）直前の前記送水管路（７，１７，２７）の部分は、当該シャワーアーム（３１）の長手方向（６，１６，２６）に対して０°〜２０°の角度を有する、請求項１又は請求項２に記載のシャワーアーム。
【請求項４】
前記球形室（８，１８，２８）直前の前記送水管路（７，１７，２７）の部分は、シャワーアームの水平方向の中心で、シャワー水の主ノズル噴出方向中（５，１５，２５）の中心軸線と当該送水管路（７，１７，２７）の長手方向中心軸線（６，１６，２６）とが交差して、前記球形室（８，１８，２８）に接続されている、請求項１〜３のいずれか１項に記載のシャワーアーム。
【請求項５】
前記球形室（８，１８，２８）直前の前記送水管路（７，１７，２７）の部分は、前記送水管路（７，１７，２７）の長手方向軸線（６，１６，２６）が、前記球形室（８，１８，２８）の中心点に対して垂直方向にオフセットされて、前記球形室（８，１８，２８）に接続されている、請求項１〜３のいずれか１項に記載のシャワーアーム。
【請求項６】
前記球形室（８，１８，２８）における前記流出口の接続縁部は、前記球形室（８，１８，２８）の内部半径の０．３倍〜３倍の半径をもつように丸められている、請求項１〜５のいずれか１項に記載のシャワーアーム。
【請求項７】
前記球形室（８，１８，２８）の内部半径に対する前記球形室（８，１８，２８）直前の前記送水管路（７，１７，２７）の部分の内部半径の比は、０．３〜０．９の間にある、請求項１〜６のいずれか１項に記載のシャワーアーム。
【請求項８】
前記シャワーノズル（４）は、前記球形室（８）から前記シャワーノズルのノズル噴出口（３）まで連続した先細りの内部断面を有し、前記球形室（８）における前記流出口の縁の丸みの所を除いて円錐形である、請求項１〜７のいずれか１項に記載のシャワーアーム。
【請求項９】
前記シャワーノズル（ノズル部分１４ｂ）に、シャワー水の主ノズル噴出方向（１５）に一致する少なくとも１つ又は複数の真っ直ぐな通流案内リブが設けられている、請求項１〜８のいずれか１項に記載のシャワーアーム。
【請求項１０】
前記球形室（２８）と前記シャワーノズルのノズル噴出面（２３）との間にある前記送水管路（２７）の部分（送水管路部分２４ａ）に、シャワー水流中に空気を導入する横からの給気通路（２４ｃ）が少なくとも１つ又は複数設けられている、請求項１〜９のいずれか１項に記載のシャワーアーム。
【請求項１１】
前記給気通路（２４ｃ）は、前記ノズル噴出面（２３）の隣にある少なくとも１つの吸気口から空気を引き込む、請求項１０に記載のシャワーアーム。
【請求項１２】
水加熱装置を備えると共に請求項１〜１１のいずれか１項に記載のシャワーアーム（３１）を備えた、シャワー便器（３０）又はビデ用のシャワー装置。
【請求項１３】
請求項１２に記載のシャワー装置（３２）と便器ボウル（３３）とを備えたシャワー便器。
【請求項１４】
作動状態において前記シャワーアーム（３１）は傾斜し、その長手方向（６，１６，２６）が前記シャワーノズル（４，１４ｂ，２４）へ向かって水平に対し５°〜１５°の角度で下降する、請求項１３に記載のシャワー便器。
【請求項１５】
請求項１２に記載のシャワー装置（３２）あるいは請求項１３又は請求項１４に記載のシャワー便器（３０）に使用する請求項１〜１１のいずれか１項に記載のシャワーアーム（３１）の使用。
【発明の詳細な説明】
【技術分野】
【０００１】
本発明は、シャワー便器又はビデ用のシャワーアームに関する。
【背景技術】
【０００２】
使用者を洗浄するシャワー装置を備えた便器が知られ、長年にわたって広く使用されている。一般にシャワー装置は可動シャワーアームを有し、該シャワーアームは、便器のボウル内に全体的に又は部分的に隠れたポジションから洗浄のために移動し、洗浄後には元に戻ることが可能になっている。このシャワーアームの移動によって、一方では、使用者の下半身に向けたシャワー水の放出に好適なポジションを得ることができ、他方では、使わないときの格納ポジションにおいて汚染及び故障を防ぐことができる。ただし、シャワーアームの移動は、通例ではあるけれども、必ず必要というものではない。
【０００３】
このタイプのシャワーアームでシャワーノズルへシャワー水を供給する送水管路のスワール室に関する従来技術は既にある。この種のスワール室は、特に、シャワーノズルから出る水の噴流を遠心力により広げる目的をもつ水の回転流を生成するためのものである。
【発明の概要】
【発明が解決しようとする課題】
【０００４】
本発明の根底にある技術的課題は、改善されたスワール室付きシャワーアーム、これを備えたシャワー便器、及びこの便器用シャワー装置を具体化することにある。
【課題を解決するための手段】
【０００５】
本発明によれば、上記課題は、シャワー便器の使用者に向かって洗浄のためにシャワー水が出て行くシャワーノズルと、該シャワーノズルへ給水する送水管路と、前記シャワーノズルへ送るシャワー水に回転水流を生成するために前記送水管路に設けられたスワール室と、を備え、前記スワール室は球形室であって、該球形室の内径が前記送水管路の前記球形室直前の部分の内径よりも大きく、且つこのスワール室は、前記送水管路の流入口、流出口、及びこれら開口の縁の接続部分を除いて球形である、シャワー便器又はビデ用のシャワーアームによって、そして、これを備えたシャワー便器及びシャワー装置によって、さらに、前記シャワーアームのこのような用途によって、達成される。
【０００６】
すなわち、本発明によれば、球形室と呼ぶ、名前が示唆するとおり球形の内面形状を有するスワール室が提供される。当然ながら、球形を途切れさせる送水管路の流入口と流出口はその例外である。これら開口に生じる縁部も、具体的には流速向上のために丸みをつけられた又は斜面とした形状であり、球形から除かれる。
【０００７】
球形室の代表的な管断面は、送水管路の特に流入口直前の部分に比べ、基本的に広くされる。したがって、送水管路の代表的な円形断面の場合に、球形室の内径又は内部半径は、特に直前部分の送水管路よりも大きい。これ以外の送水管路の断面形状でも、同じことが、該送水管路の標準径に適宜当てはまる。したがって、シャワー水が球形室へ入ると通流断面が広がり、球形室で水流にスワール（旋回流）が起こる。どのような場合でも水は、実質的にシャワーノズルへ至るまでスワールを持続し、使用者までの経路においてシャワー水の噴流を形成する。したがって、噴流の主噴出方向を横切る流れの成分に従って、脈動マッサージ感、シャワー噴流の広がり、洗浄効果の向上のいずれかが又はこれらが組み合わさって、提供される。
【０００８】
一筋の送水管路、すなわち、球形室の１つの流入口及び１つの流出口の態様が好ましいが、複数の流入口及び複数の流出口、あるいは複数の流入口又は複数の流出口も基本的に考慮に入れることができる。
【０００９】
発明者の実施した試験では、球形室が、簡単に作れるスワール室の非常に効果的な形状であることが証明されている。
【００１０】
スワール室は、好ましくは、シャワーノズルの近く、すなわち、シャワーアームにおける送水管路の反対側の端部との比較で明らかにシャワーノズルの方に近い所に、配置する。これにより、シャワー水がシャワーノズルから出る前に多量の又は十分なスワールが維持される。ただし好ましくは、実際のシャワー噴出面と球形室との間に、良好な噴流を形成するための送水管路区域を設ける。
【００１１】
送水管路は、シャワーノズルにおけるシャワー水の主噴出方向に対して６５°〜１１５°、すなわち９０°±２５°の角度で球形室へ接続するのが好ましい。より好適には、直角から多くて２０°、１５°、１０°、さらには５°だけずらす。ほぼ直角に水流の方向を変えることには価値があって、これにより水は、シャワーノズルの主噴出方向とほぼ平行の回転軸をもったスワールに至り、噴流を広げるために有利となる。
【００１２】
少なくとも球形室直前の送水管路部分は、好ましくは、シャワーアームの長手（軸）方向とほぼ平行に設けられ、多くて２０°、より好ましくは多くて１５°、１０°、さらには５°のずれ角度とするのが好適である。これにより、シャワーアーム内の送水管路の配置に関して有益な形状と、球形室前後の送水管路間の好適な角度形成に伴ってシャワーアームをほぼ横切る、シャワーアームからの水噴出口と、が得られる。
【００１３】
本発明において、球形室における送水管路の流入口を、球形室に対し、シャワーノズルの主噴出方向及び球形室直前の送水管路部分の両方に対し交差する方向において中心に配置すること、加えて又はこれとは別に、シャワーノズル噴出方向に対し平行な方向において中心に配置することが、好ましい。後者の方向（シャワーノズル噴出方向に対し平行な方向）における中心配置は、球形室内に顕著なスワールを生成する。前者の方向（主噴出方向に対し交差し且つ球形室直前の送水管路に対し交差する）における中心配置は、従来技術（この点においてスワール室の偏心流入を伴う）との対比において、異なる回転方向、さらに言えば、ほとんど反対方向の回転方向をもつ、スワール室内の交流（交互）スワール状態を生成する。
【００１４】
この中心流入に伴って、スワール方向つまり回転の方向は、例えば、おおよそランダムに発生して維持されるのではなくて、この観点での流れは、電気工学の双安定フリップフロップ回路のように時系列で繰り返し“反転”する。交流スワール状態は、シャワー水がシャワーノズルから出た後のシャワー噴流の成形もする。したがって、脈動により使用者に、殊に顕著なマッサージ感を与える。
【００１５】
特定方向の顕著な（はっきりした）スワールの間の中間位相における遠心力は、一定ではない流れの状態に起因して小さいか又は混ざり合っており、あるいは小さく且つ混ざり合っており、時間的に平均すると、噴流の広がりだけではなくて、シャワー噴流がカバーする領域の内方の格段に良好な填補も起こる。発明者は、シャワー噴流中のスワールがもたらす遠心力による噴流の広がりに対する集中が、言うなれば中空円錐噴流、いずれにしても、シャワー噴流の内方で洗浄効果が弱まるというリスクを回避する、ということを立証した。すなわち、交流スワール状態によって効果的に解消可能である。
【００１６】
上述したように、球形室と流入口及び流出口との間の接続縁部は、鋭利である必要はない。具体的に本態様では、流出口で丸められているのが好ましい。この丸みの基準的半径（この部分において正確に円弧形状に一致している必要は必ずしもない）は、球形室の内部半径の０．３倍から３倍までの間が好ましい。下限値は、球形室の内部半径の０．５倍、０．７倍、０．８倍とすると、この順にだんだん好ましくなる。上限値は、球形室の内部半径の２倍、１．５倍、１．２倍とすると、この順にだんだん好ましくなる。
【００１７】
このようにすることで、球形室からのスワール流が乗り入れるときの障害を、シャワーノズルへの流出口で減らすことができる。この種の丸めこみは、球形室へ流れ込む流速が必ず再規定されることから、流入口においては同じほどに重要ではない。
【００１８】
同じく上述したように、球形室は、直前の送水管路部分に対して有効な通流断面を増加させることを目的とする。具体的に、この管路部分の内部半径（分子）と球形室の内部半径（分母）との比は、０．３から０．９までの間が好ましく、その下限は０．４、０．５、上限は０．８、０．７、０．６とすると、この順にだんだん好ましくなる。
【００１９】
送水管路の直前部分の断面形状は、最長内径（例えば楕円の長軸や矩形の対角線）が球形室の直径よりも長くならない限りにおいて、円形以外としてもよい。この場合、上記半径比に関しては、平均半径を使用する。ただし、円形管断面が好ましい。
【００２０】
球形室から実際のノズル噴出口までの送水管路の断面は、最大で、球形室直前の送水管路の断面と同程度の大きさとする。ただし、部分的にノズルの形状、つまり先細りにもする。ノズルの好適な形状の一つが、球形室からノズル噴出口まで連続した先細りである。したがって、球形室とノズル噴出口との間の送水管路は、ノズル全体を構成し、その断面縮小によって主噴出方向における水噴流の速度成分を加速する。この先細りの好適形状の一つが円錐形であり、この円錐形状と球形室との間の接続部分は上述したように丸めることが可能である。例示する第１の実施形態を参照して説明される。
【００２１】
さらなる本発明の態様によれば、ノズル噴出口に少なくとも１つの通流案内リブ、好ましくは、例えば実施形態においては６個の、複数のリブが設けられる。これら通流案内リブは、内壁から内方へ突出して水流に作用する。当リブは、好ましくは真っ直ぐ、すなわち、スワールの追加という意味においては曲がっておらず、シャワー噴流の主噴出方向に対して（シャワーノズルの中心軸線との間隔の増減という意味において）傾斜させることができる。通流案内リブは、設計に応じて、スワール流を少し緩める（スワール状態をすべて消し去るのではなく）。特に、リブは、スワール状態との相互作用によってシャワー噴流に空気を混ぜるように作用する。この空気混入は、水をより細かく分散させることから価値があり、シャワー噴流が、水消費量を増やさずとも、いわゆる“水量感を増す”ように機能する。
【００２２】
シャワーノズルのさらなる態様において、少なくとも１つの給気通路、すなわち、シャワーノズルの領域にある送水管路中に外から空気を導入する追加管路、が設けられる。より好適には、水噴流のポンプ原理に従いシャワーノズル中の流れにより空気が吸引される。１以上の給気通路は、基本的に、シャワーアームの外から空気を導入するが、好ましくは、給気通路は比較的短くし、供給すべき空気をシャワー水のノズル噴出面の隣から導入する、すなわち、吸引するように形成する。この説明には、例示する第３の実施形態が参照される。
【００２３】
以下、実施形態を例示して本発明をより詳細に説明する。個々の特徴は、別の組み合わせにおいても重要であり得るし、特許請求の範囲の全カテゴリに関連する。
【図面の簡単な説明】
【００２４】
【図１】本発明に係るシャワーアームのノズル側端部を、斜視図、上面図、長手方向断面図、この長手方向断面図からの詳細断面図で示す。
【図２】第２の実施形態を同様の図で例示する。
【図３】第３の実施形態を同様の図で例示する。
【図４】本発明に係るシャワー装置を備えたシャワー便器を示す。
【発明を実施するための形態】
【００２５】
図１ａ〜図１ｄは、第１の実施形態、すなわちシャワーアーム１の先端を示す。この先端は、例えば、脱着可能なノズルヘッド１として設計可能であるし、支持機能及び移動機能をもつだけのシャワーアームの追加部位に適用することもできる。シャワーヘッド１は、作動させると、水洗縁の裏（壁側又は貯水タンク側）又は水洗縁なし便器ボウルの壁からボウル内へ押し出され、少し下方へ傾いて便器ボウルの開口内へ突き出る。この傾斜は、シャワーアームの（図１ｃ及び図１ｄでは水平の）長手方向と水平との間に約５°の角度をつけ、これにより、作動時、図１ａ〜図１ｃに見られる端面２が垂直に立つ。
【００２６】
図１ａ〜図１ｄは、シャワーヘッド１の上側にあるノズル噴出面３を図示し、図１ｃ及び図１ｄは、ノズル噴出面３の上流に配置された円錐シャワーノズル４を断面（図１ｄは拡大）で図示する。シャワーノズル４は、シャワーアームの長手方向に対して上向きに直交するよう向けられ、すなわち、シャワーアームの作動ポジションにおいて垂直に対し約５°前傾する。その長手方向に付随して、シャワー噴流の主噴出方向が規定される。主噴出方向は図１ｄにおいて符号５で示してあり、シャワーアームの長手方向は符号６で示してある。図１ｄ中のシャワーアームの長手方向６を示す線は、同時に送水管路７の長手方向中心軸線でもあり、図１ｄにおいて矢印で示すように、この軸線の方向にシャワー水がシャワーアームを流れ、上方へ向きを変えられて、シャワーノズル４を通り上から出ていく。この後部との間の接続部、及び図１ｄに示す送水管路７の部分との間で方向を変えるための手段が、図１ｃ及び図１ｄに断面で示す球形室８であり、この球形室８は、送水管路７の円形流入口（図１ｃ及び図１ｄにおいて右側の端）とシャワーノズル４への接続部分９（図１ｃ及び図１ｄにおいて上側の端）とを除いて、球形である。接続部分９は、約２．５ｍｍの曲率半径をもって丸められている。球形室８の内部半径は２．２ｍｍであり、送水管路７の内部半径は１．２５ｍｍである。円錐シャワーノズル４は、内部半径が１．１７ｍｍから０．７７５ｍｍへ先細りになっている。
【００２７】
送水管路７は、図１ｃ及び図１ｄの垂直方向においてと図の平面に対し直交する方向（そして図１ｂにおいて上下方向）においてとの両者の中心で、球形室へ接続する。
【００２８】
送水管路７から球形室８へ水流が流入することにより、主要なスワールを伴って交流の乱流が発生し、そのスワールの回転軸は、主噴出方向５及び円錐状のシャワーノズル４の長手軸に対しほぼ平行に延びる。この主スワールの方向は、絶えず変化するスワールによって連続的に反転する。これらスワール状態は、流れがシャワーノズル４を通り抜けてノズル噴出面３から出て行くまで流れ中にほぼ維持され、水流は、シャワーノズル４の先細りによって加速される。
【００２９】
ノズル噴出面３から上において、スワールに起因する遠心力が有効になり、図１ａに示すように、シャワー噴流を広げる。これはおおよそ球面（天球）を形成し、この球面は、比喩的に言えば、その開口幅、球面の中心部及び縁部の水の部位に関して脈動する。具体的に、顕著なスワール状態が優勢のときに球面の縁部の勢力が強くて球面の開口幅が大きくなり、合間の移行期において中心部の勢力が強くて噴流全体が狭まる。このような脈動は素速く起こるので、ノズル噴出面３と洗浄する使用者の体表面との間の区間で、異なるスワール状態と移行状態とが合間に“頻発”する。したがって、この“球面”は、分断された凝集層をもつか、あるいはもはや凝集層をもたない。使用者は、主噴出方向５を横断する水の明白な速度成分の結果、“柔らか”に思われ且つ洗浄効果の良好な脈動水噴流を感じる。
【００３０】
発明者の試行で、目的とする脈動スワールの連鎖にとって、水の流速はあまり重要ではないことが示されている。該流速を上げると、流出するシャワー噴流の開口角度が増加する傾向にあるという意味において、該流速はスワールの強さを決定する。例示する実施形態の場合、１〜１．５リットル／分の程度の流速が好ましく、本件の比較的細い寸法の送水管路７の場合、１リットル／分の比較的低い流速が好適と考えられる。ただし、目的の流れ状態を生成するためには、球形室８の内部半径が送水管路７の直前部分の内部半径よりも大きいことが好都合となる。例示の実施形態において、シャワーノズル４の円錐形ノズル形状、及び球形室８とシャワーノズル４との間の丸めた接続部分は、乱流状態のほとんどの部分を受け入れ、そのほんの少しに“ブレーキ”をかける。
【００３１】
図２ａ〜図２ｄは、第２の実施形態としての変形例を示す。同図において、図１ａ〜図１ｄと対応する要素には対応する符号を、１０を加えて（１０の位にして）付してある。したがって、図１ｃに示す端面２は図２ｃでは端面１２に相当する。本実施形態において、上述の傾斜角度はさらに大きくて約１５°であり、したがってシャワーアーム１１はより大きく傾斜する。この端面１２も作動状態において垂直に立つ。これに加えて、半径に関する量的具体例も、この第２の実施形態及び第３の実施形態に適用される。
【００３２】
例示する第２の実施形態では、図２ｃにおいてシャワーアーム１１の外側の右端に、図示のシャワーアームヘッドが差し込まれるシャワーアームの残りの部分に対応する管路部分を見ることができる。この部分に、相当するシールのための溝が見られる。
【００３３】
上記のより大きな傾斜に加えて、第１の実施形態との違いは、シャワーノズル１４が異なる形状をもつことである。シャワーノズル１４は同等の縦の長さを超えて延びるものではないが、第１の実施形態に対応する丸めた接続部分１９を介して接続するのが、送水管路部分に基本的に相当する直管路部分１４ａである。さらに、このシャワーノズルは、図２ｄに示すように、短区間の領域であるノズル部分１４ｂにおいて円錐状に先細り、さらに同程度の短区間で再び円筒状に、すなわち真っ直ぐに延びる。ただし、この説明は、図２ｂに見られる、外から管路内へ突出する６つのリブの内向き面だけに当てはまる。直管路部分（１４ａに係る）は、ノズル噴出口１３まで、リブの間を何の障害もなく上方へ通っている。
【００３４】
事実上のノズル部分１４ｂ、つまり、リブ構造に従う噴出面手前の先細りは、流れを加速する（第１の実施形態の円錐構造のシャワーノズル４よりは少ないが）ように働くだけではない。さらに加えて、全体的に多少滑らかで、より均一で、脈動の少ないシャワー噴流を生むために、スワール状態がいくぶんか抑制される。同時に、ノズル部分１４ｂ中のリブとスワール状態との相互作用において空気の追加が生起され、この空気はノズル噴出面１３から生じる。これは、従来技術の蛇口におけるいわゆるエアレータに匹敵する。
【００３５】
さらに、図２ｄは、送水管路１７の長手方向中心軸線１６と球形室１８の中心点との間にある所定の垂直オフセットを示している。このオフセットは、本実施形態で０．４ｍｍであり、送水管路１７の半径（１．２５ｍｍ）の約３分の１である。発明者は、このような垂直差について実験した。それらは、球形室１８における目的の双安定スワールを大きく妨げず、いずれの場合でも垂直差は送水管路１７と球形室１８との間の半径差より大きくはない。個々のケースにおいて、垂直差を伴う場合は、シャワーアーム１１内の特定の空間的要因を考慮することが好ましい。しかしながら、中心配列が、流れに好適で作りやすいことから、望ましい。
【００３６】
図２ｄの図の平面に対し直交する方向における中心配列からのほんの少しの差も、基本的に考え得ることであるが、特に大きな接線流（流入）が生じるとき、すなわち、この方向におけるオフセットが半径差と同程度まで大きいとき、回転が一方向だけの不変スワールを導く。しかしながら、比較的小さい（誤差程度の）オフセット部分は、有害ではない。
【００３７】
第３の実施形態が図３ａ〜図３ｄに例示されている。ほとんどの上記説明が再度参照される。したがって、前出の図面と同じ参照符号が２１〜２９の範囲の番号を使用して引用される。例えば端面（図３ｂ及び図３ｃにおいて左端）は、符号２又は１２に代わって符号２２で示される。本実施形態では、端面２２は、図３ｂ及び図３ｃにおいて垂直に対し、第１の実施形態と同じ約５°の角度である。
【００３８】
第３の実施形態は、送水直管路部分２４ａが丸めた接続部分２９を経て球形室２８に続く点で第２の実施形態に相当する。これに続いて、ノズル部分２４ｂが給気通路２４ｃを伴って存在する。図３ａ及び図３ｂは、当該通路２４ｃが三組設けられ、ノズル噴出面２３を取り巻く円弧のように集合していることを示す。給気通路２４ｃは、ノズル噴出面２３に隣り合ったその開口を通して空気を吸引することができ、該空気を、図３ｄ中の矢印で示す方向に沿って、対応する反転後にノズル部分２４ｂの水流へ導入する。これには水噴流のポンプ原理が適用される。これに伴う水噴流の容積増加を考慮して、ノズル部分２４ｂの実領域における、すなわち、給気通路の間における、水噴流用の管路断面は、大きくされる。したがって、ノズル噴出面２３は、ノズル部分２４ｂと球形室２８との間の直管路部分２４ａに比べて広い断面をもつ。
【００３９】
シャワー噴流中における球形室２８からの乱流状態の持続に関し、原則として第１及び第２の実施形態について述べたことが適用される。本実施形態において、第２の実施形態の直流リブノズル部分１４ｂによる場合よりも乱流の抑制は小さいが、第１の実施形態のノズルの滑らかな円錐構造による場合よりも若干大きく妨害される。この変形例において、大量の空気が供給され、より“水量感の増した”優しい感じのシャワー噴流が生成される。
【００４０】
分かり易さを目的として、主に肛門洗浄のための単体のシャワーノズルを、３つの実施形態の例示のために示した。当然ながら、本発明は、１つのシャワーアーム内に複数のシャワーノズルを設ける場合などにも基本的に実施可能である。これらシャワーノズルは、シャワーアームの長手方向に１列に配列され得る。例えば、これらの最初に膣ノズルが肛門ノズルと組み合わせられ、傾斜配置に従って、２つのノズル間が比較的小間隔であっても、洗浄する領域間の広い解剖学的範囲を考慮に入れることを確実にすることができる。
【００４１】
図４は、シャワー便器３０の斜視図を示し、このシャワー便器３０は、シャワーアーム３１を除いて従来型である。シャワー便器３０は便器ボウル３３を有し、符号３２で包括的に示すシャワー装置のハウジング構造が、便器ボウル３３に、図４中の左手背側で隣接する。シャワー装置は、上述のシャワーアーム３１の形式で、ハウジング構造から便器ボウル３３の中へ突き出て、その隣に、ドライヤアーム３４が引き出される。シャワーアーム３１及びドライヤアーム３４の両方とも出没可能であり、既知の方式において、シャワー便器３０を使用した後の使用者を洗浄し乾かすべく機能する。
【００４２】
水加熱装置、具体的には連続流式加熱装置が、ハウジング構造内にシャワー水用として設けられ、ドライヤアーム３４の乾燥空気用としてファンヒータを備えた通風装置も設けられる。シャワー装置３２は、脱臭システムやその他の既に知られている各種の設備を備えることも可能であり、図４中左手に示すハウジング構造の側方にある制御パネルによって作動させる。
【００４３】
図示のシャワー装置３２及びシャワー便器３０の全体は、本発明に係るシャワーアーム３１を特徴とし、図４中右下へ向いているシャワーアーム３１の先端が、上述のいずれかの実施形態に相当する。対応する送水管路７，１７，２７は、図４に示すシャワーアーム３１の可視の全長にわたり通っている。
【符号の説明】
【００４４】
１，１１，２１，３１  シャワーアーム（シャワーヘッド）
２，１２，２２  端面
３，１３，２３  ノズル噴出面（噴出口）
４，１４，２４  シャワーノズル
１４ａ  直管路部分
２４ａ  送水管路部分
１４ｂ，２４ｂ  ノズル部分
２４ｃ  給気通路
５，１５，２５  主噴出方向（の中心軸線）
６，１６，２６  長手方向（の中心軸線）
７，１７，２７  送水管路
８，１８，２８  球形室（スワール室）
９，１９，２９  接続部分
３０  シャワー便器
３１  シャワーアーム
３２  シャワー装置
３３  便器ボウル
３４  ドライヤアーム
【図１ａ】
0005968468.tif 000002
【図１ｂ】
0005968468.tif 000003
【図１ｃ】
0005968468.tif 000004
【図１ｄ】
0005968468.tif 000005
【図２ａ】
0005968468.tif 000006
【図２ｂ】
0005968468.tif 000007
【図２ｃ】
0005968468.tif 000008
【図２ｄ】
0005968468.tif 000009
【図３ａ】
0005968468.tif 000010
【図３ｂ】
0005968468.tif 000011
【図３ｃ】
0005968468.tif 000012
【図３ｄ】
0005968468.tif 000013
【図４】
0005968468.tif 000014